(57)【特許請求の範囲】
【請求項１】
汚れを拭き取るための拭布と、底面を拭布取付面としたスリッパ形のモップ基台と、このモップ基台に上記拭布を着脱自在に取り付けるための止着手段と、この止着手段でモップ基台に取り付けた拭布の先端部が捲れるのを防止するための捲れ防止手段とを有し、
上記拭布が、繊維径が１〜１０μｍの超極細繊維を含む親水性繊維と親油性繊維との混合物により形成され、
上記捲れ防止手段が、拭布の先端部に取り付けられて該拭布の後方に向けて延びる係止片と、上記モップ基台の先端部に形成された係止孔とからなっていて、この係止孔に上記係止片を挿入、係止させることにより上記拭布の先端部が捲れて後方に折れ曲がるのを防止するように構成されている、
ことを特徴とするスリッパ式清掃具。
【請求項２】
汚れを拭き取るための拭布と、底面を拭布取付面としたスリッパ形のモップ基台と、このモップ基台に上記拭布を着脱自在に取り付けるための止着手段と、この止着手段でモップ基台に取り付けた拭布の先端部が捲れるのを防止するための捲れ防止手段とを有し、
上記拭布が、親水性繊維と親油性繊維との混合物により形成され、
上記捲れ防止手段が、拭布の先端部に取り付けられて該拭布の後方に向けて延びる係止片と、上記モップ基台の先端部に形成された係止孔とからなっていて、この係止孔に上記係止片を挿入、係止させることにより上記拭布の先端部が捲れて後方に折れ曲がるのを防止するように構成されている、
ことを特徴とするスリッパ式清掃具。
【発明の詳細な説明】
【０００１】
【発明の属する技術分野】
本発明は、足に履いた状態で床面を効率良く清掃することができるスリッパ式清掃具に関するものである。
【０００２】
【従来の技術】
従来より、スリッパの底にモップ糸を取り付けることにより、足に履いた状態で床面の清掃を行い得るように構成したスリッパ式の清掃具は、公知である。
ところが、上記従来のスリッパ式清掃具は、モップ糸をスリッパに固定的に取り付けたものであるため、構造が複雑で製造に手数がかかり、価格も高価であった。しかも、上記モップ糸が汚れたらスリッパを含む清掃具全体を洗浄しなければならないため、取り扱いが面倒であるばかりでなく、スリッパが洗浄によって変形や劣化などを来し易く、耐久性にも問題があった。
また、この種のスリッパ式清掃具は、台所で家事を行う際に履くと効果的であるが、台所の汚れは水分と油分の両方が含まれるため、両方の成分の汚れを拭き取ることができる性能を持っていることが望ましい。
【０００３】
【発明が解決しようとする課題】
本発明の技術的課題は、拭布を着脱自在として使用性及び経済性を高めると共に、耐久性を高め、且つ水分と油分の両方の汚れを拭き取ることができるようにして清掃能力を高めた、スリッパ式清掃具を得ることにある。
【０００４】
【課題を解決するための手段】
上記課題を解決するため、本発明によれば、汚れを拭き取るための拭布と、底面を拭布取付面としたスリッパ形のモップ基台と、このモップ基台に上記拭布を着脱自在に取り付けるための止着手段と、この止着手段でモップ基台に取り付けた拭布の先端部が捲れるのを防止するための捲れ防止手段とを有し、上記拭布が、繊維径が１〜１０μｍの超極細繊維を含む親水性繊維と親油性繊維との混合物により形成され、上記捲れ防止手段が、拭布の先端部に取り付けられて該拭布の後方に向けて延びる係止片と、上記モップ基台の先端部に形成された係止孔とからなっていて、この係止孔に上記係止片を挿入、係止させることにより上記拭布の先端部が捲れて後方に折れ曲がるのを防止するように構成されていることを特徴とするスリッパ式清掃具が提供される。
【０００５】
また、本発明によれば、汚れを拭き取るための拭布と、底面を拭布取付面としたスリッパ形のモップ基台と、このモップ基台に上記拭布を着脱自在に取り付けるための止着手段と、この止着手段でモップ基台に取り付けた拭布の先端部が捲れるのを防止するための捲れ防止手段とを有し、上記拭布が、親水性繊維と親油性繊維との混合物により形成され、上記捲れ防止手段が、拭布の先端部に取り付けられて該拭布の後方に向けて延びる係止片と、上記モップ基台の先端部に形成された係止孔とからなっていて、この係止孔に上記係止片を挿入、係止させることにより上記拭布の先端部が捲れて後方に折れ曲がるのを防止するように構成されていることを特徴とするスリッパ式清掃具が提供される。
【０００６】
上記構成を有するスリッパ式清掃具は、拭布を取り付けた状態で通常のスリッパのように足に履き、床面を歩くことにより、上記拭布で床面上の汚れを拭き取るものである。
この場合のモップ基台に対する拭布の取り付けは、モップ基台の底面に設けた止着手段に拭布を止着させるだけで、その作業を簡単且つ迅速に行うことができる。
【０００７】
また、拭布の少なくとも先端部に設けた係止片をモップ基台の係止孔に挿入係止させるようにしているため、歩行時に拭布の外周部分特に先端部が捲れて後方に折れ曲がるのが防止され、捲れて折れ曲がった部分が清掃の障害となるなどの不都合が生じない。
更に、上記拭布が親水性繊維と親油性繊維との混合物により形成されているため、水性と油性の両方の汚れを確実に拭き取ることができると共に、超極細繊維によって微細な汚れや通常のモップ布では落ちにくい汚れも簡単且つ確実に拭き取ることができ、清掃能力に勝れる。
【０００８】
清掃により拭布が汚れたら新しいものと交換し、汚れた拭布は廃棄する。従って、清掃具全体を洗浄する必要がなく、取り扱いが容易であるばかりでなく、洗浄によってモップ基台が変形や劣化等を生じることもないため、耐久性にも勝れる。
しかも、スリッパの底にモップ糸を固定した従来品に比べ、構造が簡単で安価に製造することができる。
【０００９】
【発明の実施の形態】
図１及び図２は本発明に係るスリッパ式清掃具の第１実施例を示すもので、この第１実施例の清掃具１Ａは、汚れを拭き取るためのシート状をした使い捨て式の拭布２Ａと、該拭布２Ａを底面に着脱自在に装着して使用するスリッパ式のモップ基台３Ａとからなっている。
【００１０】
上記拭布２Ａは、繊維径が１〜１０μｍの超極細繊維を少なくとも一部に含む親水性繊維と親油性繊維との混合物からなる不織布か、又は上記繊維を糸にして織成した織布により、モップ基台３Ａよりやや大きめに形成したもので、装着時にモップ基台３Ａからはみ出す周縁部分は、必要に応じて波形か又は短冊状に形成される。
なお、上記超極細繊維以外の繊維については、繊維径が１１〜３０μｍ程度のものを好適に使用することができるが、それより太い繊維が一部又は全部に含まれていても良い。
【００１１】
また、上記モップ基台３Ａは、足を挿入するためのフード部５を先端に備えると共に、合成樹脂発泡体等からなる弾性部材６を底面に備え、該底面の適所に、拭布２Ａを係止させるための止着手段７が付設されている。この止着手段７としては、面ファスナーや両面接着テープのような、拭布２Ａを容易に着脱できるものが適している。
【００１２】
上記拭布２Ａとモップ基台３Ａとには、該拭布２Ａの周縁部分が捲れて折れ曲がるのを防止するための捲れ防止手段８が設けられている。この捲れ防止手段８は、拭布２Ａの少なくとも先端部に取り付けられた係止片８ａと、モップ基台３Ａの少なくとも先端部に形成された係止孔８ｂとからなるもので、上記係止片８ａを係止孔８ｂに挿入、係止させることにより、拭布２Ａの端部が捲れて折れ曲がるのを防止することができるようになっている。この捲れ防止手段８は、清掃具の先端部以外にも、後端部や側端部の１か所又は複数か所に設けることができる。
【００１３】
上記構成を有する第１実施例の清掃具１Ａは、拭布２Ａをモップ基台３Ａの底面の止着手段７に止着させると共に、係止片８ａを係止孔８ｂに挿入係止させることにより、該モップ基台３Ａの底面に取り付けたあと、通常のスリッパのように足に履き、床面を歩くことにより上記拭布２Ａで床面上の汚れを拭き取るものである。
【００１４】
このとき、上記拭布２Ａが１〜１０μｍの超極細繊維を含む親水性繊維と親油性繊維との混合物により形成されているため、水性と油性の両方の汚れを確実に拭き取ることができるばかりでなく、超極細繊維によって微細な汚れや通常のモップ布では落ちにくい汚れも簡単且つ確実に拭き取ることができ、清掃能力が非常に勝れる。
【００１５】
また、モップ基台３Ａに対する拭布２Ａの取り付けは、該拭布２Ａをモップ基台底面の止着手段７に止着させるだけで良いため、その取付作業が非常に簡単で迅速に行うことができる。
更に、拭布２Ａの少なくとも先端部に設けた係止片８ａをモップ基台３Ａの係止孔８ｂに挿入係止させるようにしているため、歩行時に拭布２Ａの外周部分特に先端部が捲れて後方に折れ曲がるのが防止され、折れ曲がった部分が清掃の障害となるなどの不都合がない。
【００１６】
清掃により拭布２Ａが汚れたら新しいものと交換し、汚れた拭布２Ａは廃棄する。従って、清掃具全体を洗浄する必要がなく、取り扱いが容易であるばかりでなく、洗浄によってモップ基台３Ａが変形や劣化等を生じることもないため、耐久性にも勝れる。
しかも、スリッパの底にモップ糸を固定した従来品に比べ、構造が簡単で安価に製造することができる。
【００１７】
【発明の効果】
以上に詳述したように、本発明によれば、モップ基台に対する拭布の着脱を簡単且つ迅速に行うことができるばかりでなく、拭布の周縁部が捲れて折れ曲がることがないため、折れ曲がった部分が清掃の障害となるなどの不都合もなく、また、スリッパの底にモップ糸を固定した従来品に比べ、構造が簡単で安価に製造することができる。
更に、上記拭布が親水性繊維と親油性繊維との混合物により形成されているため、水性と油性の両方の汚れを確実に拭き取ることができ、清掃能力に勝れる。
【図面の簡単な説明】
【図１】  本発明に係るスリッパ式清掃具の第１実施例を示す拭布を取り付ける前の部分破断側面図である。
【図２】  図１の底面図である。
【符号の説明】
１Ａ    清掃具                    ２Ａ    拭布
３Ａ    モップ基台                ７    止着手段
８    捲れ防止手段                ８ａ    係止片
８ｂ    係止孔
【図１】
0003828241.tif 000002
【図２】
0003828241.tif 000003